(57)【要約】【課題】演者とスクリーンに投写された画像とを観衆が同時に見ることができる演台およびプロジェクターシステムを提供する。【解決手段】演台５０は、天板５１と、天板５１と交差して配設される正面壁５２と、画像を投写するプロジェクター１を収納する収納部５３と、正面壁５２に配設されたプロジェクター１の画像を投写するためのスクリーン５４とを備える。また、プロジェクターシステム１００は、この演台５０と、収納部５３に収納するプロジェクター１とを備えている。【選択図】図１
2015215479.tif 000002
【特許請求の範囲】
【請求項１】
天板と、
前記天板と交差して配設される正面壁と、
画像を投写するプロジェクターを収納する収納部と、
前記正面壁に配設された前記プロジェクターの画像を投写するためのスクリーンと、
を備えたことを特徴とする演台。
【請求項２】
請求項１に記載の演台であって、
前記収納部は、引き出し式に構成され、前記正面壁から引き出された状態で前記プロジェクターの画像を投写することを特徴とする演台。
【請求項３】
請求項１または２に記載の演台であって、
前記スクリーンは、収納可能であることを特徴とする演台。
【請求項４】
請求項３に記載の演台であって、
前記スクリーンは、巻き取り式で収納可能であることを特徴とする演台。
【請求項５】
請求項１または２に記載の演台であって、
前記正面壁の少なくとも一部が前記スクリーンを兼ねていることを特徴とする演台。
【請求項６】
請求項１から５のいずれか一項に記載の演台であって、
前記プロジェクターから投写される光を前記スクリーンの方向に反射する鏡を備えることを特徴とする演台。
【請求項７】
請求項１から６のいずれか一項に記載の演台であって、
前記スクリーンの角度を可変可能な角度調整部を備えることを特徴とする演台。
【請求項８】
請求項１から７のいずれか一項に記載の演台であって、
前記天板に配設され、画像を撮像する撮像部を備えることを特徴とする演台。
【請求項９】
請求項１から８のいずれか一項に記載の演台と、
前記演台の前記収納部に収容され、画像を投写するプロジェクターと、を備えたことを特徴とするプロジェクターシステム。
【請求項１０】
請求項９に記載のプロジェクターシステムであって、
前記演台は、前記天板に配設され、前記プロジェクターに対する操作を受け付ける操作受付手段をさらに備え、
前記操作受付手段は、受け付けた前記操作に基づき前記プロジェクターに対する操作を指示することを特徴とするプロジェクターシステム。
【請求項１１】
請求項１０に記載のプロジェクターシステムであって、
前記演台は、前記スクリーン上において、指示体の指し示す位置を検出する位置検出手段をさらに備え、
前記操作受付手段は、前記位置検出手段が検出した位置に基づいて前記プロジェクターに対する操作を指示することを特徴とするプロジェクターシステム。
【請求項１２】
請求項１０または１１に記載のプロジェクターシステムであって、
前記演台は、前記収納部が前記演台に収納されているか否かを検出する収納検出手段をさらに備え、
前記操作受付手段は、前記収納検出手段が検出した検出結果に基づいて前記プロジェクターに対する操作を指示することを特徴とするプロジェクターシステム。
【発明の詳細な説明】
【技術分野】
【０００１】
本発明は、演台およびプロジェクターシステムに関する。
【背景技術】
【０００２】
従来、画像を投写するプロジェクターを用いて、演者がプレゼンテーションを行う場合、スクリーンを演者の横または後方に設置し、スクリーンに合わせてプロジェクターの位置、およびズーム、フォーカスなどの設定を行う必要があった。
【０００３】
特許文献１には、プロジェクターとスクリーンとを一体に備えた表示装置が開示されている。また、特許文献２には、演台の演者の位置に透過型のスクリーンを備え、画像を投写する講演装置が開示されている。
【先行技術文献】
【特許文献】
【０００４】
【特許文献１】特開２００６−１１９６５０号公報
【特許文献２】特開２００５−３１５９９４号公報
【発明の概要】
【発明が解決しようとする課題】
【０００５】
特許文献１の表示装置、および特許文献２の講演装置ではプロジェクターの位置調整などの手間は省くことはできるものの、プレゼンテーションを行うとき、演者が装置と同じ場所に立つことができないので、装置とは別の場所に演台を用意して講演する必要があった。このため、観衆は演台の後ろに位置する演者とスクリーンに投写された内容とを同時に見ることができないという問題があった。
【課題を解決するための手段】
【０００６】
本発明は、上述した課題の少なくとも一部を解決するためになされたものであり、以下の形態または適用例として実現することが可能である。
【０００７】
［適用例１］本適用例に係る演台は、天板と、前記天板と交差して配設される正面壁と、画像を投写するプロジェクターを収納する収納部と、前記正面壁に配設された前記プロジェクターの画像を投写するためのスクリーンと、を備えたことを特徴とする。
【０００８】
本適用例によれば、演台の収納部にプロジェクターを収納し、正面壁に配設されたスクリーンに画像を投写するので、プレゼンテーションを行う場合、スクリーンを別に用意して設置し、プロジェクターとの位置調整などを行う手間が不要になる。また、演台の正面壁にスクリーンがあるので、観衆は、演者とスクリーンに投写された画像とを同時に見ることが可能となる。
【０００９】
［適用例２］上記適用例に係る演台において、前記収納部は、引き出し式に構成され、前記正面壁から引き出された状態で前記プロジェクターの画像を投写することが好ましい。
【００１０】
本適用例によれば、プロジェクターが引き出し式の収納部に収納されており、画像を投写するときに引き出されるので、画像を投写しないときにプロジェクターを演台の中に収納することができる。
【００１１】
［適用例３］上記適用例に係る演台において、前記スクリーンは、収納可能であることが好ましい。
【００１２】
本適用例によれば、画像を投写しないときにスクリーンを収納することで、スクリーンが汚れたり、傷ついたりすることを防止することが可能となる。
【００１３】
［適用例４］上記適用例に係る演台において、前記スクリーンは、巻き取り式で収納可能であることが好ましい。
【００１４】
本適用例によれば、画像を投写しないときにスクリーンを巻取式で収納することで、収納に必要なスペースを小さくすることが可能となる。
【００１５】
［適用例５］上記適用例に係る演台において、前記正面壁の少なくとも一部が前記スクリーンを兼ねていることが好ましい。
【００１６】
本適用例によれば、正面壁の一部がスクリーンを兼ねることにより、プロジェクターの電源を入れるだけで直ちに画像を投写することが可能となる。
【００１７】
［適用例６］上記適用例に係る演台において、前記プロジェクターから投写される光を前記スクリーンの方向に反射する鏡を備えることが好ましい。
【００１８】
本適用例によれば、プロジェクターの投写光を鏡で反射させてスクリーンに投写するので、投写光を直接スクリーンに投写する場合に比べ、プロジェクターを演台に近づけることができ、画像投写時に収納部が演台より突出する長さを短くすることが可能となる。
【００１９】
［適用例７］上記適用例に係る演台において、前記スクリーンの角度を可変可能な角度調整部を備えることが好ましい。
【００２０】
本適用例によれば、スクリーンの角度を変更することにより、観衆がより見やすい角度で画像を投写することが可能となる。
【００２１】
［適用例８］上記適用例に係る演台において、前記天板に配設され、画像を撮像する撮像部を備えることが好ましい。
【００２２】
本適用例によれば、天板上に置かれた対象物を撮像部で撮影し、プロジェクターにより投写することで、より効果的にプレゼンテーションを行うことが可能となる。
【００２３】
［適用例９］本適用例に係るプロジェクターシステムは、前記演台と、前記演台の前記収納部に収納され、画像を投写するプロジェクターと、を備えたことを特徴とする。
【００２４】
本適用例によれば、演台の収納部に収納されたプロジェクターにより、正面壁に配設されたスクリーンに画像を投写するので、プレゼンテーションを行う場合、スクリーンとプロジェクターを用意して設置し、位置調整するなどの手間が不要になる。また、演台の正面壁にスクリーンがあるので、観衆は、演者とスクリーンに投写された画像とを同時に見ることが可能となる。
【００２５】
［適用例１０］上記適用例に係るプロジェクターシステムにおいて、前記演台は、前記天板に配設され、前記プロジェクターに対する操作を受け付ける操作受付手段をさらに備え、前記操作受付手段は、受け付けた前記操作に基づき前記プロジェクターに対する操作を指示することが好ましい。
【００２６】
本適用例によれば、演者は演台に備えられた操作受付手段により、収納部に収納されたプロジェクターに対する操作を指示することが可能となる。
【００２７】
［適用例１１］上記適用例に係るプロジェクターシステムにおいて、前記演台は、前記スクリーン上において、指示体の指し示す位置を検出する位置検出手段をさらに備え、前記操作受付手段は、前記位置検出手段が検出した位置に基づいて前記プロジェクターに対する操作を指示することが好ましい。
【００２８】
本適用例によれば、演者または演台の前の観衆がスクリーン上に投写された画像上でペンなどの指示体により、描画などの操作を行うことが可能となる。
【００２９】
［適用例１２］上記適用例に係るプロジェクターシステムにおいて、前記演台は、前記収納部が前記演台に収納されているか否かを検出する収納検出手段をさらに備え、前記操作受付手段は、前記収納検出手段が検出した検出結果に基づいて前記プロジェクターに対する操作を指示することが好ましい。
【００３０】
本適用例によれば、例えば、収納部が演台に収納されているときは操作受付手段によるプロジェクターの電源オンを禁止し、収納部が演台から引き出されているときはプロジェクターの電源オンを許可することができる。これにより、収納部が演台の内部に収納された状態でプロジェクターの電源がオンし、演台の内部にプロジェクターの熱が籠ることを防止することが可能となる。
【図面の簡単な説明】
【００３１】
【図１】実施形態に係るプロジェクターシステムの外観斜視図。
【図２】プロジェクターシステムの画像投写および指示体の位置検出を説明する側面図。
【図３】プロジェクターシステムの概略構成を示すブロック図。
【図４】プロジェクターシステムの動作を示すフローチャート。
【図５】変形例１のプロジェクターシステムの外観斜視図。
【図６】変形例２のプロジェクターシステムの外観斜視図。
【図７】変形例３のプロジェクターシステムの外観斜視図。
【発明を実施するための形態】
【００３２】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。また、以下では、同じ構成に対しては同じ符号を付与し説明を省略する。
【００３３】
（実施形態）
図１は、本実施形態のプロジェクターシステム１００の外観斜視図であり、図１（ａ）はスクリーン５４および収納部５３を演台５０の内部に収納した状態を示し、図１（ｂ）はスクリーン５４および収納部５３を演台５０から出した状態を示す。なお、図１（ｂ）は、画像を投写するときの状態を示す斜視図でもある。
図１に示すように、本実施形態のプロジェクターシステム１００は、演台５０と、演台５０に収納されるプロジェクター１とを備えて構成される。
【００３４】
図１（ａ）に示すように、演台５０は天板５１と正面壁５２などを含む筐体により構成される。正面壁５２には収納部５３を収納するための開口部が形成され、また、スクリーン５４を収納するため開閉式の正面扉５２ａが備わる。なお、図１において、演者は演台５０の左奥、つまり正面壁５２の反対側に位置し、正面壁側に向かって立つ。観衆は正面壁側から演者および演台５０を見る。
【００３５】
天板５１には、プロジェクター１に操作指示を行うための操作受付手段５７と、撮像部としての書画カメラ５８が配設されている。演者は、操作受付手段５７によりプロジェクター１を操作し、書画カメラ５８により、天板５１上の対象物を撮像できるようになっている。
【００３６】
図１（ｂ）に示すように、正面扉５２ａを開き、その一方の内側に備えられた巻取式のスクリーン収納部５４ａからスクリーン５４が、正面扉５２ａのもう一方の端まで引き出される。また、正面壁５２から収納部５３が引き出され、収納部５３に収納されるプロジェクター１が露出する。そして、収納部５３の内側で、プロジェクター１の前方になる位置には鏡５３ａが備えられ、プロジェクター１から射出される投写光をスクリーン５４に向かって反射するようになっている。
【００３７】
図２は、プロジェクターシステム１００の画像投写および指示体の位置検出を説明する側面図である。
図２に示すように、引出式の収納部５３は演台５０から前方（正面壁５２側）に引き出され、スクリーン５４が演台５０から出されている。そして、収納部５３に収納されたプロジェクター１の投写レンズ１３から射出された投写光は鏡５３ａによってスクリーン５４の方向に反射し、収納部５３の前方下部の開口部５３ｃを通ってスクリーン５４に画像が投写される。
【００３８】
収納部５３の前方には、ユーザーがスクリーン５４上において操作するペン４０などの指示体の操作位置を検出する位置検出手段５３ｂが備えられており、ペン４０の操作に基づき、スクリーン５４上で描画などの操作を行えるようになっている。
【００３９】
図３は、本実施形態のプロジェクターシステム１００の概略構成を示すブロック図である。
図３に示すように、プロジェクターシステム１００は、演台５０と、演台５０の収納部５３に収納されるプロジェクター１とを備えて構成される。演台５０は、収納部５３、収納検出手段５６、操作受付手段５７、撮像部としての書画カメラ５８、スクリーン５４などから構成される。
【００４０】
収納部５３は、鏡５３ａ、位置検出手段５３ｂ等で構成され、これらは収納部５３の内部に収容されている。
【００４１】
位置検出手段５３ｂは、図示しないカメラなどから構成され、赤外発光式のペン４０の操作位置を検出し、その操作位置の情報を操作受付手段５７に送信する。操作受付手段５７は、操作位置の情報に基づく操作情報をプロジェクター１に送信する。
【００４２】
収納検出手段５６は、図示しないメカニカルスイッチなどから構成され、収納部５３が演台５０の正面壁５２の内部に収納されているか否かを検出し、その検出情報を操作受付手段５７に通知する。操作受付手段５７は、検出情報に基づき、プロジェクター１の電源をオンまたはオフするための操作信号をプロジェクター１に送信する。
【００４３】
操作受付手段５７は、天板５１上に配設される操作パネルであり、各種操作スイッチを含んで構成されている。操作受付手段５７は、各操作スイッチの操作、および位置検出手段５３ｂから受け付けた位置情報、収納検出手段５６から受け付けた収納部５３の収納状態の検出情報に基づき、図示しないケーブルを介してプロジェクター１に操作信号を送信する。
【００４４】
書画カメラ５８は、操作受付手段５７からの操作指示に基づき、画像を撮像し、撮像した画像信号を図示しないケーブルを介してプロジェクター１の画像入力端子６に入力する。
【００４５】
なお、演台５０の筐体には図示しない電源部３１が備えられ、演台５０の各部、および収納部５３のプロジェクター１に電力を供給する。
【００４６】
プロジェクター１は、画像入力端子６、画像投写手段１０、通信手段１５、ＯＳＤ処理手段１６、画像信号処理手段１７、画像信号入力手段１８、制御手段２０、記憶手段２１、光源制御手段２２、入力操作手段２３、電源端子３０、電源部３１等で構成されており、これらはプロジェクター１の筐体の内部または外面に収容されている。
【００４７】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによって、投写面としてのスクリーン５４に投写画像を表示する。
【００４８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００４９】
液晶ライトバルブ１２Ｒ，１２Ｇ，１２Ｂは、一対の透明基板間に液晶が封入された液晶パネル等によって構成され、各透明基板の内面には、液晶に対して微小領域（画素）毎に駆動電圧を印加可能な透明電極（画素電極）が、矩形の領域（画素領域）内にマトリックス状に形成されている（図示せず）。
【００５０】
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３によって拡大され、鏡５３ａで反射してスクリーン５４に拡大投写され投写画像となる。
【００５１】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００５２】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００５３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００５４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００５５】
入力操作手段２３は、プロジェクター１の筐体に備えられ、プロジェクター１に対して各種指示を行うための複数の操作キーを備えている。
【００５６】
入力操作手段２３は、電源のオン・オフを交互に切り替えるための電源キーや、複数の画像入力端子６を切り替えるための入力切替キー、各種設定を行うためのメニュー設定画像等を重畳表示させるためのメニューキー、メニュー設定画像等で設定項目の選択等に用いられるカーソルキー、選択された設定項目を確定させる決定キー、動作の取り消し等を行うためのエスケープキー等を備える。
ユーザーが入力操作手段２３の各種操作キーを操作すると、入力操作手段２３は、ユーザーの操作内容に応じた操作信号を制御手段２０に出力する。
【００５７】
通信手段１５は、演台５０の操作受付手段５７と通信し、各種操作信号を受け付け、制御手段２０に通知する。プロジェクター１の制御手段２０は、受け付けた操作信号に基づき、プロジェクター１の動作を制御する。通信手段１５が受け付ける操作信号としては、プロジェクター１の電源オンおよびオフ、画像入力端子６の切り替えの他、位置検出手段５３ｂが検出したペン４０の操作位置に基づく描画操作信号などがある。
【００５８】
光源制御手段２２は、制御手段２０の指示に基づいて、光源１１に対する電力の供給と停止とを制御し、光源１１の点灯、および消灯を切り替える。
【００５９】
画像信号入力手段１８は、複数の画像入力端子６より、ビデオ再生装置やパーソナルコンピューター等、外部の画像出力装置や書画カメラ５８から、図示しないケーブル、又は通信機器などを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００６０】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００６１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００６２】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００６３】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００６４】
図４は、プロジェクターシステム１００の動作を示すフローチャートであり、図４（ａ）は電源オン操作を受け付けたときの動作を示し、図４（ｂ）は収納部５３が演台５０に収納されたことを検出したときの動作を示す。本実施形態のプロジェクターシステム１００の動作を、図４を用いて説明する。
【００６５】
〔電源オン操作を受け付けたとき〕
図４（ａ）に示すように、演台５０の操作受付手段５７の操作スイッチにより、プロジェクターシステム１００の電源オン操作を受け付けると（ステップＳ１０１）、操作受付手段５７は、収納検出手段５６により収納部５３が演台５０から引き出されているかまたは収納されているかを調べる（ステップＳ１０２）。
【００６６】
収納部５３が演台５０から引き出されている場合（ステップＳ１０２：Ｙ）には、プロジェクター１に対し電源をオンするよう操作信号を送信し（ステップＳ１０４）、ステップＳ１０５に遷移する。プロジェクター１が電源オンの操作信号を受け付けると、制御手段２０は光源制御手段２２により光源１１を点灯し、画像投写手段１０により画像の投写を開始する。収納部５３が演台５０から引き出されていない場合、すなわち演台５０に収納されている場合（ステップＳ１０２：Ｎ）には、本動作フローを終了する（ステップＳ１０６）。
【００６７】
ステップＳ１０５において操作受付手段５７は位置検出手段５３ｂに指示してペン４０の位置検出の動作を開始する。以後、検出した位置に基づく操作信号をプロジェクター１に送信する。以上で本動作フローを終了する（ステップＳ１０６）。
【００６８】
〔収納部が収納されたことを検出したときの動作〕
図４（ｂ）に示すように、プロジェクター１が画像を投写中に、収納検出手段５６が、収納部５３が演台５０の内部に収納されたことを検出すると（ステップＳ２０１）、操作受付手段５７はプロジェクター１に対し電源をオフする操作信号を送信し（ステップＳ２０２）、ステップＳ２０３に遷移する。プロジェクター１が電源オフ操作信号を受け付けると、制御手段２０は、光源制御手段２２に指示して光源１１を消灯し、プロジェクター１の電源をオフする。
【００６９】
ステップＳ２０３において、操作受付手段５７は位置検出手段５３ｂによる位置検出動作を終了させ、本動作フローを終了する（ステップＳ２０４）。
【００７０】
上述した実施形態によれば、以下の効果を得られる。
本実施形態のプロジェクターシステム１００によれば、演台５０の収納部５３に収納されたプロジェクター１により、正面壁５２に配設されたスクリーン５４に画像を投写するので、プレゼンテーションの時などに、スクリーンとプロジェクターを別途用意して設置し、位置調整するなどの手間が不要になる。また、演台５０の正面壁５２にスクリーン５４があるので、観衆は、演者とスクリーン５４に投写された画像とを同時に見ることが可能となる。
【００７１】
また、プロジェクター１が引き出し式の収納部５３に収納され、画像を投写するときに引き出されるので、画像を投写しないときにはプロジェクター１を演台５０の中に収納することができる。そのため、演台５０の外観を崩すことがなく、コンパクトな演台５０とすることができる。
【００７２】
また、画像を投写しないときにはスクリーン５４を巻取式で収納することで、スクリーン５４に汚れや傷がつくことを防止し、さらにスクリーン５４の収納に必要なスペースを小さくすることが可能となる。そのため、演台５０の外観を崩すことがなく、コンパクトな演台５０とすることができる。
【００７３】
また、プロジェクター１の投写光を鏡５３ａで反射させてスクリーン５４に投写するので、投写光を直接スクリーン５４に投写する場合に比べ、プロジェクター１を演台５０に近づけることができ、画像投写時に収納部５３が演台５０より突出する長さを短くすることが可能となる。なお、いわゆる超短焦点型のプロジェクター１を収納部５３に収納してもよい。この際、超短焦点型のプロジェクター１は鏡５３ａに相当するものを内蔵しているので、鏡５３ａはなくてもよい。
【００７４】
また、天板５１上に置かれた対象物を書画カメラ５８で撮影し、プロジェクター１によりスクリーン５４に投写することで、より効果的にプレゼンテーションを行うことが可能となる。
【００７５】
また、天板５１に備えられた操作受付手段５７により、収納部５３に収納されたプロジェクター１に対する操作を指示することが可能となる。これにより、プロジェクターシステム１００の操作性が向上する。
【００７６】
また、演者または演台５０の前の観衆がスクリーン５４上に投写された画像上でペン４０により、描画などの操作を行うことが可能となる。これにより、プロジェクターシステム１００の利便性が向上する。
【００７７】
また、収納部５３が演台５０に収納されているときは、操作受付手段５７によるプロジェクター１の電源オンを禁止し、収納部５３が演台５０から引き出されているときは、プロジェクター１の電源オンを許可することができる。これにより、収納部５３が演台５０の内部に収納された状態でプロジェクター１の電源がオンし、演台５０の内部にプロジェクター１の熱が籠ることを防止することが可能となる。これにより、プロジェクターシステム１００の利便性と安全性が向上する。
【００７８】
また、上記実施形態は、以下のように変更してもよい。
（変形例１）
上述した実施形態において、スクリーン５４の角度を可変可能な角度調整部５９（後述する）を備えるようにしてもよい。図５に本変形例の図を示す。なお、図５は、本変形例のプロジェクターシステム１００を示す外観斜視図であり、図５（ａ）はスクリーン５４を略垂直にした通常の状態を示し、図５（ｂ）はスクリーン５４を略水平状態にまで起こしたときの状態を示す。
図５に示すように、演台５０は、回転軸、ギヤ機構（いずれも図示省略）などから構成される角度調整部５９を内部に備え、天板５１、正面壁５２、スクリーン５４を含む筐体部分の角度を、任意の角度に変更し固定することができる。
本変形例によれば、スクリーン５４の角度を変更することにより、観衆がより見やすい角度で画像を投写することが可能となる。
【００７９】
（変形例２）
上述した実施形態では収納部５３はスクリーン５４の上方に位置するが、スクリーン５４の下方に位置するようにしてもよい。図６に本変形例の図を示す。なお、図６は、本変形例のプロジェクターシステム１００を示す外観斜視図であり、図６（ａ）はスクリーン５４および収納部５３を演台５０の内部に収納した状態を示し、図６（ｂ）はスクリーン５４および収納部５３を演台５０から出した状態を示す。
図６に示すように、収納部５３はスクリーン５４の下方に位置する。そして、図６（ｂ）に示すように、収納部５３を演台５０から引き出し、プロジェクター１の投写光を鏡５３ａで上方のスクリーン５４に向けて反射し、画像を投写する。
本変形例によれば、スクリーン５４の位置を高くすることができるので、観衆が画像を見やすくなる。
【００８０】
（変形例３）
上述した実施形態ではスクリーン５４は演台５０に収納されるようになっているが、正面壁５２の少なくとも一部がスクリーンを兼ねるようになっていてもよい。図７に本変形例のプロジェクターシステム１００の外観斜視図を示す。
図７に示すように、本変形例の演台５０は、正面壁５２が横長で表面が白色になっており、上記実施例および上記変形例と同様に、画像を投写することができる。
本変形例によれば、正面壁５２の一部がスクリーンを兼ねるので、収納されたスクリーンを引き出す必要がなく、プロジェクター１の電源を入れれば直ちに画像を投写することが可能となる。
【００８１】
（変形例４）
上述した実施形態において、収納部５３からプロジェクター１が取り外せる構成になっていてもよい。この場合、収納部５３内にプロジェクター１の位置を決めるためのガイドなどを備える。
本変形例によれば、プロジェクター１を演台５０とは別の場所で使用することができる。
【符号の説明】
【００８２】
１００…プロジェクターシステム、５０…演台、５１…天板、５２…正面壁、５２ａ…正面扉、５３…収納部、５３ａ…鏡、５３ｂ…位置検出手段、５３ｃ…開口部、５４…スクリーン、５４ａ…スクリーン収納部、５６…収納検出手段、５７…操作受付手段、５８…書画カメラ、５９…角度調整部、１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…通信手段、１６…ＯＳＤ処理手段、１７…画像信号処理手段、１８…画像信号入力手段、２０…制御手段、２１…記憶手段、２２…光源制御手段、２３…入力操作手段、３０…電源端子、３１…電源部。
【図１】
2015215479.tif 000003
【図２】
2015215479.tif 000004
【図３】
2015215479.tif 000005
【図４】
2015215479.tif 000006
【図５】
2015215479.tif 000007
【図６】
2015215479.tif 000008
【図７】
2015215479.tif 000009